(57)【要約】【課題】本発明においては家庭菜園等に代表される個人向けの小規模な領域を対象とし、より経済性に優れた電気柵装置の提供を課題とする。【解決手段】家庭菜園等の所定の領域の周囲に張り巡らせて所定の電圧を印加し、獣類の侵入を防止する電気柵装置１において、該電気柵装置１は、電源ユニット２と、防護線６と、防護線６の末端着脱具４と、防護線６の絶縁支持体３と、絶縁支持体３を取り付けるポール５と、を有し、前記電源ユニット２の筐体部１２の左右両側に、支持部材２２の突起に対して電源ユニット２を着脱可能とする係止孔２１を一体的に設ける。【選択図】図４
2008125446.tif 000002
【特許請求の範囲】
【請求項１】
家庭菜園等の所定の領域の周囲に張り巡らせて所定の電圧を印加し、獣類の侵入を防止する電気柵装置において、該電気柵装置は、電源ユニットと、防護線と、防護線の末端着脱具と、防護線の絶縁支持体と、絶縁支持体を取り付けるポールと、を有し、前記電源ユニットの筐体部の左右両側に、支持部材の突起に対して電源ユニットを着脱可能とする係止孔を一体的に設けることを特徴とする、電気柵装置。
【請求項２】
前記絶縁支持体は防御線を懸架する本体部と、該本体部が具備する螺子部に螺着するナット部と、により構成し、該本体部に設けた、一側面にスリットを有する円筒部材を介して、ポールに装着することを特徴とする、請求項１に記載の電気柵装置。
【請求項３】
前記絶縁支持体におけるナット部は楕円からなる円盤形状の外観を有し、前記螺子部と螺着する際には捩じ込み端にて前記本体部と並行になる、ことを特徴とする、請求項１、または、請求項２に記載の電気柵装置。
【請求項４】
前記末端着脱具の本体部表面に該本体部の軸線に並行して複数の溝を設けることを特徴とする、請求項１、乃至、請求項３の内のいずれかに記載の電気柵装置。
【請求項５】
前記末端着脱具の本体部の長さ寸法は人の手のひらの幅より僅かに大きな値とし、かつ、該本体部の両端部には該本体部の断面積より大きな板部材を直交して設ける、ことを特徴とする、請求項１、乃至、請求項４の内のいずれかに記載の電気柵装置。
【発明の詳細な説明】
【技術分野】
【０００１】
本発明は、家庭菜園の周囲に張り巡らし、所定の電圧を印加し、獣類の侵入を防止する電気柵装置の技術に関する。
【背景技術】
【０００２】
従来より、農地やレジャー施設等の所定領域への獣類の侵入や、牧場等で飼育される家畜類の逃走を防ぐ手段として、電気柵が知られている。該電気柵は上述の農地やレジャー施設、牧場等の周囲に立設された複数のポールに、裸電線、あるいは、導電性の金網等からなる防御線を張り渡して構成され、該防御線に電圧を印加することにより、該防御線に触れた獣類や家畜等を感電させて、農地等への侵入や、牧場からの逃走等を防ぐものである。
【０００３】
前記防御線の一部には電源ユニットが接続されており、該電源ユニットによって発生する電流が常時防御線に通電されることにより、防御線には一定の電圧が印加される。
ここで、獣類においては、その習性から夜間に行動する夜行性動物や、昼間に活発に行動を起こすもの等、千差万別であり、侵入や逃走等を防止する対象を特に夜行性動物に定める場合には、前記電源ユニットの電気回路上に光電センサーを具備させて周囲の明るさを検知し、自動的に夜間に限って防御線に電圧を変化させる電気柵が知られている。
【０００４】
しかし、上述の光センサーを具備した電源ユニットでは、昼間に運転させることができないため、季節の変化や将来的な環境の変化等の影響から対象とする獣類の種別が変わり、電気柵の運転方式を変更する必要が生じても、既存の電源ユニットを用いることはできず、新たに別の電源ユニット、すなわち、昼、夜問わず、常時運転可能な電源ユニットを設ける必要があり、経済的にも負担が大きかった。
そこでこのような改良点を網羅するべく、「特許文献１」に示す技術が公知となっている。
【特許文献１】特開２００６−２１７８２６号公報
【発明の開示】
【発明が解決しようとする課題】
【０００５】
前記「特許文献１」においては、電気柵に用いられる電源ユニットに関して、「連続作動」、「昼作動」、「夜作動」の３モードからなる運転パターンの選択機能を具備させる技術が公開されており、これによって、上述のように、季節や将来的な環境の変化等から対象とする獣類の種別が変化しても、直ちに電気柵の運転方式を変更することが可能でなり、別途、運転方式の異なる電源ユニットを用意する必要も無く、経済的にも効果がある。
【０００６】
しかし、従来からの電気柵は主に農地やレジャー施設、牧場等、広範囲にわたる領域を対象としているため、家庭菜園等に代表される個人向けの小規模な領域を対象とするには、電源ユニットやポール等の構成機器はとかく大きすぎ、必要とする領域に設置するにも手間隙がかかり、逆に経済的にも負担がおおきかった。
【０００７】
このような改良点を踏まえたうえで、本発明においては家庭菜園等に代表される個人向けの小規模な領域を対象とし、より経済性に優れた電気柵装置の提供を課題とする。
【課題を解決するための手段】
【０００８】
本発明の解決しようとする課題は以上の如くであり、次にこの課題を解決するための手段を説明する。
【０００９】
即ち、請求項１においては、家庭菜園等の所定の領域の周囲に張り巡らせて所定の電圧を印加し、獣類の侵入を防止する電気柵装置において、該電気柵装置は、電源ユニットと、防護線と、防護線の末端着脱具と、防護線の絶縁支持体と、絶縁支持体を取り付けるポールと、を有し、前記電源ユニットの筐体部の左右両側に、支持部材の突起に対して電源ユニットを着脱可能とする係止孔を一体的に設けるものである。
【００１０】
請求項２においては、前記絶縁支持体は防御線を懸架する本体部と、該本体部が具備する螺子部に螺着するナット部と、により構成し、該本体部に設けた、一側面にスリットを有する円筒部材を介して、ポールに装着するものである。
【００１１】
請求項３においては、前記絶縁支持体におけるナット部は楕円からなる円盤形状の外観を有し、前記螺子部と螺着する際には捩じ込み端にて前記本体部と並行になるものである。
【００１２】
請求項４においては、前記末端着脱具の本体部表面に該本体部の軸線に並行して複数の溝を設けるものである。
【００１３】
請求項５においては、前記末端着脱具の本体部の長さ寸法は人の手のひらの幅より僅かに大きな値とし、かつ、該本体部の両端部には該本体部の断面積より大きな板部材を直交して設けるものである。
【発明の効果】
【００１４】
本発明の効果として、以下に示すような効果を奏する。
【００１５】
請求項１においては、電気柵装置に具備される電源ユニットに関して、その本体部を構成する筐体部の左右両側に、係止孔を設けることにより、該電源ユニットを地上に保持させるための支持部材に対して、容易に着脱することができる。よって、メンテナンスを容易にでき、また、電源を長期間作動させない場合には、容易に取り外して格納し、劣化を防止することができる。
【００１６】
請求項２においては、電気柵装置に具備される絶縁支持体に関して、一側面にスリット部を設けた円筒部材からなる本体部と、該本体部の開放部から直角方向に突出する雄螺子部と、該雄螺子部に螺着する雌螺子部と、から形成することにより、スリットから容易にポールに対し着脱作業ができ、雌螺子部を緩めることにより位置調整作業を容易に行うことができる。
【００１７】
請求項３においては、前記絶縁支持体に螺設される雌螺子部に関して、楕円からなる円盤形状の外観を有することにより、利用者は指先で掴み易く、前記雄螺子部への捩じ込み時には容易にトルクを掛けることができる。また、前記雄螺子部と螺着する際には、雌螺子部は捩じ込み端にて本体部の軸線と並行になることにより、雌螺子部は、ポールの横幅にほぼ隠れ、外部からの異物の衝突を受けにくく、不意に緩む心配もない。
【００１８】
請求項４においては、前記末端着脱具の本体部表面に、該本体部の軸線に並行して複数の溝を設けることにより、利用者の手の中で滑って回転することもなく、確実に握持することができる。
【００１９】
請求項５においては、前記末端着脱具の本体部の長さ寸法を、人の手のひらの幅より僅かに大きな値とし、かつ、該本体部の両端部には、該本体部の断面積より大きな板部材を直交して設けることにより、利用者の手から滑り抜けることもなく、確実に握持することができる。
【発明を実施するための最良の形態】
【００２０】
次に、発明の実施の形態を説明する。
図１は本発明の一実施例に係る電気柵装置の全体的な構成を示した模式図である。
図２は本発明の一実施例に係る電気柵装置のポール周辺部を示す正面図である。
図３は同じく裏面図である。
図４は電気柵装置に用いられる電源ユニットの正面図である。
図５は同じく背面図である。
図６は同じく側面図である。
図７は図２に示すＢ切断面における電源ユニットの断面図である。
図８は同じく電源ユニットのブロック図である。
図９は本発明の一実施例に係る電気柵装置の絶縁支持体の全体を示す斜視図である。
図１０は同じく絶縁支持体の本体部を示す側面図である。
図１１は同じく平面図である。
図１２は同じく絶縁支持体の雌螺子部を示す正面図である。
図１３は本発明の一実施例に係る電気柵装置の絶縁支持体グリップの全体を示す斜視図である。
図１４は同じく側面図である。
【００２１】
［電気柵装置１］
まず、本発明の一実施例に係る電気柵装置１の全体構成について、図１、乃至、図３を用いて説明をする。
電気柵装置１は、電源ユニット２や、絶縁支持体（ガイシ）３や、末端着脱具（ゲートグリップ）４や、ポール（支持柱）５や、防御線６等と、から構成されており、主に一般家庭における園芸、家庭菜園や、周囲１００ｍ程度の小さな田畑の周囲に張り巡らされ、野犬、猫、猪等、獣類の侵入を防ぎ、農作物等の被害を防止するために設けられる。
【００２２】
すなわち、複数本のポール５・５・・・が所定間隔を空けて前記家庭菜園等の所定領域周囲に立設され、かつ、各々の該ポール５に装着される絶縁支持体３を介して防御線６を張り渡し、電源ユニット２によって該防御線６に電圧を印加することによって、電気柵装置１は構成されている。
【００２３】
ここで、ポール５、および、絶縁支持体３については、絶縁機能を有する硬化性樹脂により形成されており、これによって、電源ユニット２、および、防御線６を架設した通電範囲と、ポール５、および、絶縁支持体３等よりなる非通電範囲とが完全に絶縁状態となる。その結果、複数のポール５・５・・・により区切られるエリアの外側に防御線６を張り渡すことで、該エリアの内側では直接防御線６に触れない限り感電等することもなく、安全に菜園作業等を行うことができる。
【００２４】
防御線６によって囲まれるエリアの一角には、出入口７が設けられており、該出入口７より、エリア内への人の出入りを可能にしている。
すなわち、出入口７には防御線６の末端部と先端部が位置しており、該末端部（または先端部）に取り付けられている末端着脱具４により、周囲に張り渡した防御線６の一部を取り外し、該出入口７とすることができ、末端着脱具４は容易に取り外すことができるようにしている。これによって、エリア内への人の出入りを可能にしている。
【００２５】
防御線６はコード（引き出し線）８を介して、近傍に配置される電源ユニット２の前面に設けられる出力端子９と結線されており、また、該出力端子９に並設されるアース端子１０において、コード８を介してアース棒１１と結線されている。
これにより、電源ユニット２から供給されるパルス電圧が、コード８を介して防御線６に印加され、該防御線６に高電圧が印加される。
【００２６】
［電源ユニット２］
次に、電源ユニット２について、図４、乃至、図８を用いて説明する。なお、図６、および、図７に記載の矢印Ａの方向は、電源ユニット２の前方向を示しており、前記矢印Ａの方向に従い、左右方向を便宜上決定する。
電源ユニット２には上下方向に延出する直方体形状の筐体部１２が設けられており、該筐体部１２の前面において、略中央部から上部側に操作スイッチ等が配置されている。
【００２７】
また、筐体部１２の内部は上下方向略中央部に設けられる仕切り部１２ａによって、上下二段の空間１３・１４に仕切られており、その上部空間１３側には主に制御回路部２６や各種スイッチ類が配設され、また、下部空間１４側には電力を供給するための電源回路、すなわち、本実施例では電池ケース１５が納められている。
【００２８】
ここで電池ケース１５は、複数の電池３２・３２・・・を収納するための箱状部材から形成されており、上面部にはプラス極、および、マイナス極からなる２本のリード線１９・１９が導かれ、内部において結線されている。また、前記リード線１９・１９の一方の端部は制御回路部２６部と結線されており、電池ケース１５の内部において、予め定められた配置により電池３２を装着することで、複数の電池３２・３２・・・から、まとめて起電力を取り出し、制御回路部２６へ送電することができる。但し、電池は乾電池に限定するものではなく、乾電池や充電池等であってよく、また、電池ケース１５の代わりに変圧器と整流回路を配置する構成としてもよい。
【００２９】
筐体部１２の後方は全面に渡って開放されており、後カバー１６が螺子等を介して該筐体部１２と着脱自在に取り付けられている。また、前記後カバー１６の下方には、矩形形状の開口部１７が設けられており、蓋部材１８を前記後カバー１６と螺子等を介して組付けることによって、前記開口部１７は塞がれている。
【００３０】
このような構成により、電池ケース１５は後カバー１６の脱着を必要とせず、蓋部材１８を取り外すことによって、前記開口部１７を介して筐体部１２内部から引き出すことが可能となり、電池３２・３２・・・の交換作業を容易に行うことができる。
【００３１】
また、前記後カバー１６の上部には、側面視にてＵ字形に窪ませた、略矩形の取っ手部２０が設けられており、外部に突起部を設けることなく、容易に電源ユニット２を握持することを可能としている。
【００３２】
筐体部１２の左右両側面部において、支柱や壁等の支持部材に取り付けた螺子やボルト等の突起に対して電源ユニット２を着脱可能とする係止孔２１を一体的に設けている。つまり、筐体部１２の後端部の上下方向略中央部には、平板部１２ｂ・１２ｂが外側に向かって延出されており、該平板部１２ｂは本実施例では矩形形状に構成して、その左右方向中央部には、係止孔２１・２１が上下２箇所、一直線上に並べて穿孔されている。
【００３３】
該係止孔２１は上部が小さい半径の上下方向の長孔とし、その下部に連続して前記よりも大きな半径の円形とした略ダルマ形状に穿孔されたものであり、該係止孔２１を柱や壁等の支持部材２２に取り付けた釘やねじ等の係止部材２３に係止することで、電源ユニット２を地上に保持でき、容易に着脱することができる。
【００３４】
すなわち、電源ユニット２を取り付けるための柱等の支持部材２２を所定位置に立設し、該支持部材２２の操作し易い所望の高さに電源ユニット２を位置させて、釘または螺子またはボルト等より突起となる係止部材２３を、前記係止孔２１・２１・・・の上部と同じ位置に取り付ける。このとき係止孔２１の上部の直径は係止部材２３の軸部の直径より若干大きく、係止孔２１の下部の直径は係止部材２３の頭部より若干大きく構成する。
【００３５】
このように取り付けることにより、電源ユニット２を上方に持ち上げて、係止部材２３の頭部が係止孔２１の下部と一致させて、手前に移動させることにより、係止孔２１が係止部材２３より抜けて電源ユニット２を取り外すことができる。よって、前記係止部材２３をその都度、着脱することもなく、容易に支持部材２２に対して電源ユニット２を外すことができるばかりでなく、獣の侵入を防止しないときには、容易に電源ユニット２を外して持ち帰ることができる。
【００３６】
また、一旦係止部材２３を支持部材２２に取り付けておけば、電源ユニット２を再び取り付けるときには、電源ユニット２の係止孔２１の下部を係止部材２３の位置に一致させて挿入して、下方に押し下げることで、電源ユニット２を係止することができる。このとき、係止部材２３の頭部は係止孔２１の上部より抜け出ることができないので、電源ユニット２は確実に支持部材２２に保持固定される。
【００３７】
［電気回路５０］
次に本実施例における電源ユニット２の電気回路５０について、図８を用いて説明する。
電気回路５０は電源ユニット２の筐体部１２の内部に収納され、主に、電力を供給する電池ケース１５や、後述する各種スイッチ類３３・３４や、該スイッチ類３３・３４からの入力信号を演算処理し、外部の機器に指令信号を送る制御回路部２６や、防御線６に印加する前に電圧を一旦昇圧するためのトランス部３８や、表示ランプ等各種機器類３４・３６・３７等により構成されている。
【００３８】
制御回路部２６は上述の通り、各種スイッチ類３３・３４等からの信号を入力信号として取り入れて、該入力信号に対応する指令信号を出力信号として外部機器類に送信する演算部であり、トランジスタや、コンデンサや、ダイオード、または、マイコン等から構成され、前記筐体部１２内部の略中央部に設けられている。
【００３９】
制御回路部２６の入力側にはプラス極、マイナス極からなる２本のリード線１９・１９を介して電池ケース１５が接続されており、該電池ケース１５に収納される複数の電池３２・３２・・・の起電力が該制御回路部２６に供給される。また、前記リード線１９の中間部には、押釦スイッチからなる電池確認スイッチ３５と、緑色の表示ランプからなる電池残量表示３６と図示しない抵抗が直列に接続されている。
【００４０】
これにより、電池ケース１５に複数の電池３２・３２・・・が収納され、十分な起電力がある場合には、電池確認スイッチ３５を押圧することで通電されて、電池残量表示３６が緑色に点灯する。しかし、電池ケース１５が空の場合、あるいは、電池３２の起電力が完全に放電している場合や、作動させるには起電力が不足する場合には、該電池残量表示３６が点灯することが無い。または、十分明るく点灯しない。そのため、利用者は使用する前に前記電池確認スイッチ３５を押圧することで、容易に電池３２の起電力の残量を確認することができる。
【００４１】
前記リード線１９の末端部には、セレクトスイッチからなるモード切換スイッチ３３が接続されており、二者択一の配線構造となっている。
また、モード切換スイッチ３３の先には２本のリード線３９ａ・３９ｂがさらに配線されており、一方のリード線３９ａはそのまま制御回路部２６の入力側と接続され、他方のリード線３９ｂは、その中間部において光センサー３４が接続され、その後制御回路部２６の入力側と接続されている。
【００４２】
ここで、モード切換スイッチ３３によるリード線３９ａ側への短絡は「昼・夜モード」とし、リード線３９ｂ側への短絡は「夜モード」として、それぞれ設定されており、両リード線３９ａ・３９ｂのどちらにも短絡していない状態（中立点）として、「切」が設けられている。
【００４３】
なお、モード切換スイッチ３３により「切」に選択された場合は、電池ケース１５と制御回路部２６とのリード線１９による接続が、該モード切換スイッチ３３部において、断線することとなるため、複数の電池３２・３２・・・による起電力が防御線６に印加されることはない。
【００４４】
これにより、利用者は電池３２の脱着や、配線のやり直し等おこなうことなく、容易に「昼・夜モード」、「夜モード」、「切」の選択をおこなうことができる。
ここで、「昼・夜モード」は昼夜を問わず常時防御線６に通電される常時作動モードであり、「夜モード」は夜間のみ通電がされる夜間作動モードである。
【００４５】
すなわち、本発明における電気柵装置１を利用するにあたり、防御線６によって侵入を防ぐ対象が夜行性の獣類である場合には、主に夜間に限って防御線６に通電させればよく、また、昼間に活動する獣類等も含めて侵入を防ぐ場合には、「昼・夜モード」を選択し、常時防御線６に通電させることができるため、利用条件に適した運用方式を容易に選択することができ、しかも、無駄な電力消費を抑制することができるため経済的である。
【００４６】
なお、「夜モード」に選択した場合には、前記光センサー３４によって周囲の明るさを検知することにより、設定した明るさよりも暗くなると、自動的に電池ケース１５と制御回路部２６とを接続させ、あるいは、設定した明るさよりも明るくなると切断するようにしている。
【００４７】
制御回路部２６において、前記２本のリード線３９ａ・３９ｂが接続される他方の出力側にはトランス部３８がリード線を介して接続して設けられており、さらに該トランス部３８の出力側にはプラス極、マイナス極からなる２本のリード線４０Ｒ・４０Ｂが接続されており、該プラス極側のリード線４０Ｒには出力端子９が、また、該マイナス極側のリード線４０Ｂにはアース端子１０が、それぞれ設けられている。
【００４８】
また、前記２本のリード線４０Ｒ・４０Ｂの間に渡って、前記表示ランプと異なる色、例えば、赤色の表示ランプからなる出力表示ランプ３７が接続されており、電池３２の起電力が防御線６に通電された場合、赤色に点灯することで、該防御線６の通電状態を表示することができる。
【００４９】
なお、前記出力端子９には防御線６の端部が接続され、また、前記アース端子１０にはリード線を介してアース棒１１が接続されている。
【００５０】
このような構成により電源ユニット２の電気回路５０は形成されており、電池ケース１５に収納される複数の起電力はリード線１９等を介して制御回路部２６に送電され、交流に変換して、トランス部３８によって所定の電圧（約一万ボルト）まで昇圧されて整流した後に防御線６に印加されることになる。
［絶縁支持体３］
次に、本発明の一実施例に係る絶縁支持体３について、図９、乃至、図１２を用いて説明をする。
絶縁支持体３はポール５に防御線６を固定するための係止部材であり、該防御線６が懸架される本体部２４と、該本体部２４の一端に螺着して締付固定するためのナット部２５により構成される。
【００５１】
本体部２４は一側がポール５への取付部、他側が防御線６の巻架部２４ｃとされ、取付部は平面視Ｃ字形状の円筒部２４ａと雄螺子部２４ｂから形成されており、該円筒部２４ａの開放される側面からは、雄螺子部２４ｂが該円筒部２４ａの軸心に対して垂直に延出され、該雄螺子部２４ｂから円筒部２４ａの一端側には上下方向にスリット２７が設けられている。また、雄螺子部２４ｂと反対側の円筒部２４ａの側面には、防御線６が巻架される巻架部２４ｃが配置され、該巻架部２４ｃと円筒部２４ａとの間は支持部材２４ｄにより連結されている。
【００５２】
前記巻架部２４ｃは断面積の異なる２枚の円盤部材２４ｅ・２４ｆを平行に軸心部で連結して設けたものであり、該表面積が小さい方を外側になるようにして、一定の間隙を設けて同軸状に並設して設けられている。
このように前記円盤部材２４ｅ・２４ｆを配置することにより、防御線６や、後述する末端着脱具４を絶縁支持体３に容易に掛架させることができる。
【００５３】
すなわち、防御線６や末端着脱具４を絶縁支持体３に掛架させる際に、該部材６・４の掛架させる部位を、内側の円盤部材２４ｅ（断面積が大きい方）にあてがうことで、容易に両円盤部材２４ｅ・２４ｆの間隙に前記掛架させる部位を配置させることができるのである。
【００５４】
前記雄螺子部２４ｂは平面視にて中心軸上で左右に分割されており、該分割部はスリット２７として円筒部２４ａへと連なっている。
また、ナット部２５は楕円形状の外形からなる円盤部材２５ａの中心部に円柱部材２５ｂが直交して設けられている。該円柱部材２５ｂの中心部には、軸芯に沿って雌螺子孔２５ｃが穿孔されている。
【００５５】
前記円盤部材２５ａの外周部には円筒状の外周部２５ｄが設けられ、雌螺子孔２５ｃを収容するように配置して、外周部２５ｄを握り易くして、締めつけ易くしている。
【００５６】
このような形状からなる本体部２４、および、ナット部２５により、絶縁支持体３は構成されており、ポール５への装着作業や取り付け位置の調整作業を容易なものとしている。
【００５７】
すなわち、絶縁支持体３は円筒部２４ａによりポール５に握持して固定されるが、その際には、ポール５の上端部から円筒部２４ａを差し込むことも可能であるが、雄螺子部２４ｂの先端部の間隙を徐々に開けながら、ポール５を円筒部２４ａの内側に導き入れることもできる。よって、ポール５が長い場合に、高い上端部から円筒部２４ａを差し込む必要がなく、容易に絶縁支持体３を該ポール５に組付けることができる。
【００５８】
また、雄螺子部２４ｂにナット部２５を捩じ込むことで、円筒部２４ａの内径寸法を小さくして締め上げることができ、ポール５に対して任意の位置に、絶縁支持体３を容易に固定することができる。
【００５９】
さらに、雄螺子部２４ｂにおけるナット部２５の捩じ込み端では、該ナット部２５は常にポール５（あるいは、円筒部２４ａ）の軸芯方向に沿って並行、すなわち、該軸芯方向に歪んだ状態になるように、雄螺子部２４ｂとナット部２５の螺子ピッチが設けられているため、ポール５に絶縁支持体３が固定された後は、ナット部２５はポール５の横幅にほぼ隠れ、外部からの異物の衝突等も受けにくく、一度確固に固定されたナット部２５が不意に緩む心配もない。
【００６０】
［末端着脱具４］
次に、本発明の一実施例に係る末端着脱具４について、図１３、乃至、図１４を用いて説明をする。
末端着脱具４は上述の通り、防御線６の一方の末端部に取り付けられ、前記張り渡した防御線６の一区画の一部を容易に開放できるようにするためのものであり、握持される本体部である握り部２８や、防御線６の端部と接続される接続部２９や、他方の端部となる、例えば、前記絶縁支持体３に掛止させる掛止部３０等により構成される。
【００６１】
握り部２８は円筒部材により形成され、該円筒部材の表面部には軸芯に並行し、複数の溝部２８ｄ・２８ｄ・・・が設けられている。
また、握り部２８の長さ寸法（図１４に示すＹ寸法）は成人の「手のひら」の幅に比べて若干大きな寸法にて形成されており、該握り部２８の両端部には、その断面積より大きな円盤部材３１・３１が同軸に直交して設けられている。
【００６２】
接続部２９は前記円盤部材３１の中心部より、軸芯に沿って外側へ向かって延出し、かつ、先端部を円形形状に緩やかに屈曲させた、針金により形成されており、該円形形状部において、防御線６を結び付けて取り付けるようにしている。
【００６３】
また、掛止部３０は接続部２９の反対側に設けられ、該接続部２９と同様、反対側の円盤部材３１の中心部より、軸芯に沿って外側へ向かって延出し、かつ、先端部を円形形状に緩やかに屈曲させてフック状に形成して、針金により構成されている。さらに、掛止部３０の該円形形状部においては、前記絶縁支持体３に具備される、外側の円盤部材２４ｆの直径寸法（図１１に示すＸ寸法）に比べて僅かに小さい直径寸法（図１４に示すＺ寸法）となるように形成されており、その後、該直径寸法（図１４に示すＺ寸法）より僅かに小さな幅寸法により開放されている。
【００６４】
このような構成から末端着脱具４を形成することにより、本発明に係る電気柵装置１の利用者は、張り渡された防御線６の一端部を容易に着脱することが可能になり、防御線６によって囲まれるエリアの一角に出入口７を設けることができる。
【００６５】
すなわち、前記末端着脱具４の握り部２８の表面に、該握り部２８の軸線に並行して複数の溝部２８ａ・２８ａ・・・を設けることにより、利用者が末端着脱具４を握持する場合、手中で滑って回転することもなく、確実に握持することができる。
【００６６】
また、前記末端着脱具４の握り部２８の長さ寸法を、成人の「手のひら」の幅に比べて僅かに大きな値とし、かつ、該握り部２８の両端部において、該握り部２８の断面積より大きな円盤部材２５ａ・２５ａを直交して設けることにより、利用者の手から滑り抜けることもなく、確実に握持することができる。
【図面の簡単な説明】
【００６７】
【図１】本発明の一実施例に係る電気柵装置の全体的な構成を示した模式図。
【図２】本発明の一実施例に係る電気柵装置のポール周辺部を示す正面図。
【図３】同じく裏面図。
【図４】電気柵装置に用いられる電源ユニットの正面図。
【図５】同じく背面図。
【図６】同じく側面図。
【図７】図２に示すＢ切断面における電源ユニットの断面図。
【図８】同じく電源ユニットのブロック図。
【図９】本発明の一実施例に係る電気柵装置の絶縁支持体の全体を示す斜視図。
【図１０】同じく絶縁支持体の本体部を示す側面図。
【図１１】同じく平面図。
【図１２】同じく絶縁支持体の雌螺子部を示す正面図。
【図１３】本発明の一実施例に係る電気柵装置の絶縁支持体グリップの全体を示す斜視図。
【図１４】同じく側面図。
【符号の説明】
【００６８】
１      電気柵装置
２      電源ユニット
３      絶縁支持体
４      末端着脱具
５      ポール
６      防御線
９      出力端子
１０    アース端子
１２    筐体部
１２ｂ  平板部
１８    蓋部材
２１    係止孔
２２    支持部材
２３    係止部材
３３    モード切換スイッチ
３５    電池確認スイッチ
３６    電池残量表示ランプ
３７    出力表示ランプ
【図１】
2008125446.tif 000003
【図２】
2008125446.tif 000004
【図３】
2008125446.tif 000005
【図４】
2008125446.tif 000006
【図５】
2008125446.tif 000007
【図６】
2008125446.tif 000008
【図７】
2008125446.tif 000009
【図８】
2008125446.tif 000010
【図９】
2008125446.tif 000011
【図１０】
2008125446.tif 000012
【図１１】
2008125446.tif 000013
【図１２】
2008125446.tif 000014
【図１３】
2008125446.tif 000015
【図１４】
2008125446.tif 000016